(57)【要約】【課題】本考案は、極寒冷地において、ビル等の建築物のドレン排水を排出する排水設備に関し、特に屋上や屋根からの竪樋の凍結を防止するため、地中に埋設した排水管凍結防止用枡型ヒーターを提供する。【解決手段】本考案の排水管凍結防止用枡型ヒーターは、直方体形状又は円筒体形状の樹脂製ケース１と、該樹脂製ケース１の上面の一方に竪樋Ａを挿通する竪樋挿入口２と、他方の上面に点検用開口を開閉する上蓋３と、前記樹脂製ケース１の底部９に加熱空間１０を形成するように二重底にした底板５と、前記樹脂製ケース１の側部の竪樋Ａ側に設けたヒーター収納管８と、該ヒーター収納管８から前記加熱空間１０内に配線された自己温度制御型ヒーター４と、前記樹脂製ケース１の側部の竪樋Ａ側と対向する側に設けた排水管連結管７と、該排水管連結管７側に前記底板５に載置されるトラップ用ゴミ処理ボックス６とから構成される。【選択図】図１
0003158710.tif 000002
【実用新案登録請求の範囲】
【請求項１】
直方体形状又は円筒体形状の樹脂製ケースと、該樹脂製ケースの上面の一方に竪樋を挿通する竪樋挿入口と、上面の他方に点検用開口を開閉する上蓋と、前記樹脂製ケースの底部に加熱空間を形成するように二重底にした底板と、前記樹脂製ケースの側部の竪樋側に設けたヒーター収納管と、該ヒーター収納管から前記加熱空間内に配線された自己温度制御型ヒーターと、前記樹脂製ケースの側部の竪樋側と対向する側に設けた排水管連結管と、該排水管連結管側に前記底板に載置されるトラップ用ゴミ処理ボックスとから構成されることを特徴とする排水管凍結防止用枡型ヒーター。
【考案の詳細な説明】
【技術分野】
【０００１】
本考案は、ビル等の建築物のドレン排水を排出する排水設備に関し、特に屋上や屋根からの竪樋の凍結を防止する排水管凍結防止用枡型ヒーターに関する。
【背景技術】
【０００２】
従来、屋上や屋根からの雨水を排出する排水管においては、特に地中に埋設された配管の凍結を防止することができる埋設用配管加温装置および竪樋配管構造が知られている（特許文献１を参照）。
この公知技術は、エルボ継手および排水管の周囲を覆うように配設される放熱部材と、該放熱部材に取り付けられた２本のヒータユニットとを有している埋設用配管加温装置および竪樋配管構造である。
【０００３】
本考案出願人は、屋根や屋上からの垂直排水管の凍結を防止でき、組立や施工を簡単に行うことができる凍結防止用ボックスヒーターを開発した（特許文献２を参照）。
この凍結防止用ボックスヒーターは、垂直排水管の直径より大きい開口を有し前記垂直排水管の下端が嵌挿できる有底容器形状のステンレスボックスと、該ステンレスボックスの外周又は底部を加熱するように添設されたヒーターと、前記ステンレスボックスの側壁及び底部に添設されたヒーターを囲むように覆う遮熱シートと、前記ステンレスボックスの開口縁を支持すると共に前記遮熱シートの外側面を蔽う外筺と、該外筺の底部を塞ぎ、前記外筺より大きく形成された台盤とから構成されたものである。
【０００４】
また、本考案出願人は、極寒冷地において、ビル等の建築物のドレン排水を排出する排水設備に関し、特に屋上や屋根からのドレンパイプの凍結を防止するドレンパイプヒーターを開発した。
このドレンパイプヒーターは、上部をドレンパイプに嵌合される一体成型により中央を円環状に膨出させたヒーター収容部を有するアルミニウム製のヒーター筒と、該ヒーター筒の下部に連結されたトラップ部となるプラスチック製のＵ字管と、該Ｕ字管の他端に接続された立方体のプラスチック製のトラップ枡とから構成され、自己温度制御型ヒーター又は紐ヒーターがヒーター収容部からＵ字管、トラップ枡を経て排水管へ配線され、ヒーター収容部の内側開口を塞ぐアルミ製の閉塞板を加温してヒーター筒及びドレンパイプの内壁の氷結を防止すると共に、トラップ部となるＵ字管及びトラップ枡の凍結を防止するものである（特許文献３を参照）。
しかし、上記本考案出願人の凍結防止用ボックスヒーターやドレンパイプヒーターでも、極寒冷地において日中でも外気温がマイナス２０度にもなる場合には地表に露出しているため、竪樋の凍結を生じる恐れがあった。
【先行技術文献】
【特許文献】
【０００５】
【特許文献１】特開平１１-１７２７２６号公報
【特許文献２】特開２００７−２９７７８５号公報
【特許文献３】実用新案登録第３１４０８３４号公報
【考案の開示】
【考案が解決しようとする課題】
【０００６】
そこで、本考案は、極寒冷地において、ビル等の建築物のドレン排水を排出する排水設備に関し、特に屋上や屋根からの竪樋の凍結を防止するため、地中に埋設した排水管凍結防止用枡型ヒーターを提供することを目的とする。
【課題を解決するための手段】
【０００７】
本考案の排水管凍結防止用枡型ヒーターは、直方体形状又は円筒体形状の樹脂製ケースと、該樹脂製ケースの上面の一方に竪樋を挿通する竪樋挿入口と、上面の他方に点検用開口を開閉する上蓋と、前記樹脂製ケースの底部に加熱空間を形成するように二重底にした底板と、前記樹脂製ケースの側部の竪樋側に設けたヒーター収納管と、該ヒーター収納管から前記加熱空間内に配線された自己温度制御型ヒーターと、前記樹脂製ケースの側部の竪樋側と対向する側に設けた排水管連結管と、該排水管連結管側に前記底板に載置されるトラップ用ゴミ処理ボックスとから構成されるものである。
【考案の効果】
【０００８】
本考案の排水管凍結防止用枡型ヒーターは、直方体形状又は円筒体形状の樹脂製ケースと、該樹脂製ケースの上面の一方に竪樋を挿通する竪樋挿入口と、上面の他方に点検用開口を開閉する上蓋と、前記樹脂製ケースの底部に加熱空間を形成するように二重底にした底板と、前記樹脂製ケースの側部の竪樋側に設けたヒーター収納管と、該ヒーター収納管から前記加熱空間内に配線された自己温度制御型ヒーターと、前記樹脂製ケースの側部の竪樋側と対向する側に設けた排水管連結管と、該排水管連結管側に前記底板に載置されるトラップ用ゴミ処理ボックスとから構成されるので、極寒冷地において日中でも外気温がマイナス２０度にもなる場合にでも、竪樋の凍結を防止できる効果がある。
【図面の簡単な説明】
【０００９】
【図１】本考案の排水管凍結防止用枡型ヒーター（箱型）の概略説明図である。
【図２】本考案の排水管凍結防止用枡型ヒーター（円筒型）の概略説明図である。
【考案を実施するための最良の形態】
【００１０】
本考案の排水管凍結防止用枡型ヒーター（箱型）の一実施例を添付図面に基づいて、以下に説明する。
図１に示すように、本考案の排水管凍結防止用枡型ヒーターは、直方体形状の樹脂製ケース１と、該樹脂製ケース１の上面の一方に竪樋Ａを挿通する竪樋挿入口２と、前記樹脂製ケース１の上面の他方に点検用開口を開閉する上蓋３と、前記樹脂製ケース１の底部９に加熱空間１０を形成するように二重底にした底板５と、前記樹脂製ケース１の側部の竪樋Ａ側に設けたヒーター収納管８と、該ヒーター収納管８から前記加熱空間１０内に配線された自己温度制御型ヒーター４と、前記樹脂製ケース１の側部の竪樋Ａ側と対向する側に設けた排水管連結管７と、該排水管連結管７側に前記底板５に載置されるトラップ用ゴミ処理ボックス６とから構成される。
【００１１】
前記樹脂製ケース１は、塩ビ又はＦＲＰの樹脂製からなり、直方体形状の箱型に形成される。この樹脂製ケース１は地中に埋設されるため、適度の剛性強度を備えている。なお、この長方体形状には、立方体形状も包含する。
前記竪樋挿入口２は、竪樋Ａを挿通させる直径の開口であり、前記竪樋Ａと前記竪樋挿入口２とは隙間を生じないように、例えばシール材を施して密閉状に形成される。
前記上蓋３は、前記底板５に載置されるトラップ用ゴミ処理ボックス６を取出す点検用開口を開閉可能に設けられる。
前記自己温度制御型ヒーター４は、発熱体として自己温度制御機能を有する正特性サーミスタ素子を備えており、寒冷時には高出力となって高温となり、温暖時には低出力となって低温となる。
前記底板５は、樹脂製ケース１の底部９に加熱空間１０を形成するように二重底に形成し、竪樋Ａ側が傾斜面となり、トラップ用ゴミ処理ボックス６側が平坦面となっている。
前記トラップ用ゴミ処理ボックス６は、底板５の平坦面に載置されると共に、上方開口の三方に側壁を有する塵取り型とし、図示しない摘みを掴んで上蓋３を備える点検用開口から取出せる大きさとなっている。
前記排水管連結管７は、樹脂製ケース１の側壁から突出状に形成され、下水道排水管に接続される短円筒形状となっている。
前記ヒーター収納管８は、樹脂製ケース１の竪樋Ａ側の側壁に接着され、前記自己温度制御型ヒーター４を保護する長尺アルミ筒で、加熱空間１０側に開口を形成して前記自己温度制御型ヒーター４を加熱空間１０に配線できるようにしている。
【００１２】
次に、本考案の排水管凍結防止用枡型ヒーター（箱型）の動作を添付図面に基づいて、以下に説明する。
本考案の排水管凍結防止用枡型ヒーター（箱型）は、上面を地表にして四周囲を地中に埋設されており、ビル等の高層建築物の屋上や屋根からの雨水を排出する竪樋Ａは竪樋挿入口２を利用して樹脂製ケース１内に挿入される。
そして、図示しないビル等の高層建築物のコンセントに電気コードを差し込み、自己温度制御型ヒーター４を作動可能にする。その際、自己温度制御型ヒーター４は、外気温が高い場合は低温となっており、ヒーター収納管８、加熱空間１０に配線されている。外気温が低下すると、自己温度制御型ヒーター４は温度上昇し、前記樹脂製ケース１内の加熱空間１０を効率よく暖めるので前記樹脂製ケース１内が暖められ、前記樹脂製ケース１内の暖められた暖気が竪樋Ａを上昇する。
このようにして、竪樋Ａ内の空気は暖められて上昇し、竪樋Ａ中を上昇して氷結を防止し、屋上や屋根のドレン排水口から排気され、ドレン排水口も氷結するのを防止する。
【００１３】
竪樋Ａを流下した融雪水は、前記樹脂製ケース１内が暖められているので、前記樹脂製ケース１内で氷柱となることなく、底板５の傾斜面から平坦面となっているトラップ用ゴミ処理ボックス６へ流下する。
前記トラップ用ゴミ処理ボックス６へ流下した融雪水は、トラップ部となっている低い部分に溜められるが、底板５の平坦面下部の加熱空間１０には自己温度制御型ヒーター４が入っているので暖められ、滞留水は凍結することはない。
また、前記トラップ用ゴミ処理ボックス６の喫水線上方に排水管連結管７の出口が接続されるので、滞留水が詰まることなく円滑にトラップ用ゴミ処理ボックス６から排水管連結管７へ排出される。
なお、前記トラップ用ゴミ処理ボックス６にゴミが溜まった場合には、点検用開口の上蓋３を開けて、図示しない摘みを掴んで前記トラップ用ゴミ処理ボックス６を取出すことができる。
【００１４】
つぎに、本考案の排水管凍結防止用枡型ヒーター（円筒型）の他の実施例を添付図面に基づいて、以下に説明する。
図２に示すように、本考案の排水管凍結防止用枡型ヒーター（円筒型）は、円筒体形状の樹脂製ケース１と、該樹脂製ケース１の上面の一方に竪樋Ａを挿通する竪樋挿入口２と、前記樹脂製ケース１の上面の他方に点検用開口を開閉する上蓋３と、前記樹脂製ケース１の底部９に加熱空間１０を形成するように二重底にした底板５と、前記樹脂製ケース１の側部の竪樋Ａ側に設けたヒーター収納管８と、該ヒーター収納管８から前記加熱空間１０内に配線された自己温度制御型ヒーター４と、前記樹脂製ケース１の側部の竪樋Ａ側と対向する側に設けた排水管連結管７と、該排水管連結管７側に前記底板５に載置されるトラップ用ゴミ処理ボックス６とから構成される。なお、前記円筒体形状には、楕円筒体形状も包含する。
【符号の説明】
【００１５】
１  樹脂製ケース
２  竪樋挿入口
３  上蓋
４  自己温度制御型ヒーター
５  底板
６  トラップ用ゴミ処理ボックス
７  排水管連結管
８  ヒーター収納管
９  底部
１０  加熱空間
【図１】
0003158710.tif 000003
【図２】
0003158710.tif 000004